(57)【要約】【課題】ＰＨＳカードが装着されるモニタ付親機および増設親機の間のデータ通信を無線通信にて可能として内線通話を行い配線の簡素化を図るとともに、これらモニタ付親機および増設親機からインターネットへの接続を無線通信機能若しくは有線通信機能とネットワークとを使用して行う。【解決手段】ＰＨＳデータ通信プロトコル対応のターミナルアダプタ３に登録させたＰＨＳカード１０、１０をモニタ付親機２ａおよび増設親機２ｂに装着することにより、当該親機の間で無線による内線通話が可能となる。また、電話機４への着信を、ターミナルアダプタ３を介してモニタ付親機２ａへと転送することができる。さらに、ターミナルアダプタに登録させたＰＨＳカードをモニタ付親機に装着することにより、このＰＨＳカードからターミナルアダプタを介してインターネット５への接続を無線通信で行うことができる。【選択図】  図１
2004153418.tif 000002
【特許請求の範囲】
【請求項１】
カメラ付玄関子機（１ａ、１ｂ）と、前記カメラ付玄関子機にて撮像された画像を録画するための録画機能、前記録画された画像を再生するための再生機能を有するモニタ付親機（２ａ）および増設親機（２ｂ）とで構成され、無線通信機能と有線通信機能とを持ち、無線通信若しくは有線通信とネットワークとを使用してインターネット（５）に接続可能なテレビドアホンシステムであって、
前記モニタ付親機は、ＰＨＳデータ通信プロトコル対応のターミナルアダプタ（３）を接続し、前記ターミナルアダプタに登録され前記増設親機との間で無線による内線通話を行うためのＰＨＳカード（１０）を備えたことを特徴とするテレビドアホンシステム。
【請求項２】
前記ターミナルアダプタは、電話機（４）への着信を前記モニタ付親機に転送することを特徴とする請求項１記載のテレビドアホンシステム。
【請求項３】
前記モニタ付親機は、前記ターミナルアダプタに登録された前記ＰＨＳカードによるデータ通信を前記無線通信機能にて可能にすることを特徴とする請求項１記載のテレビドアホンシステム。
【請求項４】
カメラ付玄関子機（５１ａ、５１ｂ）と、前記カメラ付玄関子機にて撮像された画像を録画するための録画機能、前記録画された画像を再生するための再生機能を有するモニタ付親機（５２ａ）および増設親機（５２ｂ）とで構成され、無線通信機能と有線通信機能とを持ち、無線通信若しくは有線通信とネットワークとを使用してインターネット（５５）に接続可能なテレビドアホンシステムであって、
前記モニタ付親機は、ＡＤＳＬ、ＣＡＴＶ等の外部ネットワークに接続される無線ＬＡＮ対応のルータ（５３）を接続し、前記ルータに登録され前記増設親機との間で無線による内線通話を行うための無線ＬＡＮカード（６０）を備えたことを特徴とするテレビドアホンシステム。
【請求項５】
前記ルータは、インターネット電話機（５４）への着信を前記モニタ付親機に転送することを特徴とする請求項４記載のテレビドアホンシステム。
【請求項６】
前記モニタ付親機は、前記ルータに登録された前記無線ＬＡＮカードによるデータ通信を前記無線通信機能にて可能にすることを特徴とする請求項４記載のテレビドアホンシステム。
【発明の詳細な説明】
【０００１】
【発明の属する技術分野】
本発明はテレビドアホンシステムに係り、特に、住戸内に（複数台）設置された親機の間で無線による内線通話が可能なテレビドアホンシステムに関する。
【０００２】
【従来の技術】
従来から、外出等で住戸内を不在としている留守中において呼出操作を行った来訪者の画像を録画し、この録画画像を帰宅時においてモニタに表示させ居住者が確認するテレビドアホン装置が提案されている（例えば、特許文献１）。
【０００３】
しかしながら、上述のテレビドアホン装置では、留守中において呼出操作を行った来訪者の録画画像は、帰宅時でしか表示／確認できず、また、留守中において呼出操作を行った来訪者にリアルタイムで対応する手段が存在しなかった。
【０００４】
そこで、本出願人は、サーバを設置してモニタ親機に通信機能を備えることにより、留守中において呼出操作を行った来訪者の録画画像を、サーバを介して外出の際に通常所持している携帯端末にて表示／確認させるばかりでなく、この携帯端末を利用して留守中における来訪者からの呼び出しにリアルタイムで対応できるテレビドアホンシステムを、特願２００２−０８９４１２号のテレビドアホンシステムとして特許出願を行った。
【０００５】
【特許文献１】特開２００１−９４９７７号公報（段落番号００１１）
【発明が解決しようとする課題】
しかしながら、従来例をなす特願２００２−０８９４１２号のテレビドアホンシステムでは、携帯端末との間でデータ通信を行うモニタ付親機を住戸内に（複数台）設置するあたり、モニタ付親機および増設された増設親機の間のデータ通信は、有線接続に起因した有線通信に限定され、内線通話も有線通信で行われることにより、それぞれの親機の設置場所によっては配線が煩雑となる難点があった。
【０００６】
本発明は、上述の難点を解消するためになされたもので、ＰＨＳカード若しくは無線ＬＡＮカードが装着されるモニタ付親機および増設親機の間のデータ通信を無線通信にて可能として内線通話を行い配線の簡素化を図るとともに、これらモニタ付親機および増設親機からインターネットへの接続を無線通信機能若しくは有線通信機能とネットワークとを使用して行うことができるテレビドアホンシステムを提供することを目的としている。
【０００７】
【課題を解決するための手段】
上述の目的を達成するため、本発明のテレビドアホンシステムは、カメラ付玄関子機と、カメラ付玄関子機にて撮像された画像を録画するための録画機能、録画された画像を再生するための再生機能を有するモニタ付親機および増設親機とで構成され、無線通信機能と有線通信機能とを有し、無線通信若しくは有線通信とネットワークとを使用してインターネットに接続可能である。モニタ付親機は、ＰＨＳデータ通信プロトコル対応のターミナルアダプタを接続し、ターミナルアダプタに登録され増設親機との間で無線による内線通話を行うためのＰＨＳカードを備えている。
【０００８】
このようなテレビドアホンシステムによれば、ＰＨＳデータ通信プロトコル対応のターミナルアダプタに登録させたＰＨＳカードをモニタ付親機および増設親機に装着することにより、当該親機の間で無線による内線通話が可能となるばかりでなく、これらモニタ付親機および増設親機からターミナルアダプタを介してインターネットへの接続を無線通信若しくは有線通信とネットワークとを使用して行うことができる。
【０００９】
また、本発明のテレビドアホンシステムにおいて、ターミナルアダプタは、電話機への着信をモニタ付親機に転送するものである。
【００１０】
このようなテレビドアホンシステムによれば、電話機への着信を、ターミナルアダプタを介してモニタ付親機へと転送することができる。
【００１１】
また、本発明のテレビドアホンシステムにおいて、モニタ付親機は、ターミナルアダプタに登録されたＰＨＳカードによるデータ通信を無線通信機能にて可能にするものである。
【００１２】
このようなテレビドアホンシステムによれば、ＰＨＳデータ通信プロトコル対応のターミナルアダプタに登録させたＰＨＳカードをモニタ付親機に装着することにより、このＰＨＳカードによるデータ通信を無線通信で行うことができる。
【００１３】
また、本発明のテレビドアホンシステムは、カメラ付玄関子機と、カメラ付玄関子機にて撮像された画像を録画するための録画機能、録画された画像を再生するための再生機能を有するモニタ付親機および増設親機とで構成され、無線通信機能と有線通信機能とを有し、無線通信若しくは有線通信とネットワークとを使用してインターネットに接続可能である。モニタ付親機は、ＡＤＳＬ、ＣＡＴＶ等の外部ネットワークに接続される無線ＬＡＮ対応のルータを接続し、ルータに登録され増設親機との間で無線による内線通話を行うための無線ＬＡＮカードを備えている。
【００１４】
このようなテレビドアホンシステムによれば、ＡＤＳＬ、ＣＡＴＶ等の外部ネットワークに接続される無線ＬＡＮ対応のルータに登録させた無線ＬＡＮカードをモニタ付親機および増設親機に装着することにより、当該親機の間で無線による内線通話が可能となるばかりでなく、これらモニタ付親機および増設親機からルータを介してインターネットへの接続を無線通信若しくは有線通信とネットワークとを使用して行うことができる。
【００１５】
また、本発明のテレビドアホンシステムにおいて、ルータは、インターネット電話機への着信をモニタ付親機に転送するものである。
【００１６】
このようなテレビドアホンシステムによれば、インターネット電話機への着信を、ルータを介してモニタ付親機へと転送することができる。
【００１７】
また、本発明のテレビドアホンシステムにおいて、モニタ付親機は、ルータに登録された無線ＬＡＮカードによるデータ通信を無線通信機能にて可能にするものである。
【００１８】
このようなテレビドアホンシステムによれば、ＡＤＳＬ、ＣＡＴＶ等の外部ネットワークに接続される無線ＬＡＮ対応のルータに登録させた無線ＬＡＮカードをモニタ付親機に装着することにより、この無線ＬＡＮカードによるデータ通信を無線通信で行うことができる。
【００１９】
【発明の実施の形態】
以下、本発明のテレビドアホンシステムを適用した好ましい形態の実施例について、図面を参照して説明する。
【００２０】
図１は、本発明の第１の実施例によるテレビドアホンシステムを示すシステム構成図である。
【００２１】
図１のシステム構成図において、住戸外とされる玄関先には、カメラ付玄関子機１ａ、１ｂが設置されている。また、カメラ付玄関子機１ａ、１ｂはそれぞれ同様な構成であり、来訪者が住戸内の居住者を呼び出すための呼出（呼出操作）機能、来訪者が呼出相手先の居住者との間で通話を行うための通話機能、来訪者を含む玄関先周辺の画像を撮像するための撮像機能を有する。
【００２２】
図１のシステム構成図において、住戸内には、モニタ付親機２ａおよび増設された１台の増設親機２ｂと、ＰＨＳデータ通信プロトコル対応（ＰＩＡＦＳ対応）のターミナルアダプタ３と、居住者による外線電話が可能な電話機４とが設置されている。また、モニタ付親機２ａ、増設親機２ｂはそれぞれ同様な構成であり、子機接続ラインＬ１ａ、Ｌ１ｂを介して接続されているカメラ付玄関子機１ａ、１ｂにて呼出操作が行われた来訪者からの呼び出しを報知するための呼出報知機能、居住者が呼出元の来訪者との間で通話を行うための通話機能、居住者が外出等で住戸内を留守中においてカメラ付玄関子機１ａ、１ｂにて撮像された画像を録画するための録画機能、留守中において録画された画像（録画画像）若しくは在宅中においてカメラ付玄関子機１ａ、１ｂにて撮像された画像（リアルタイム画像）を再生するための再生機能を有する。また、モニタ付親機２ａ、増設親機２ｂには、ターミナルアダプタ３に登録されるＰＨＳカード１０、１０を脱着可能に装着するためのカードスロット（図示せず）と、ＬＡＮケーブルＬ２ａ、Ｌ２ｂを介してターミナルアダプタ３を有線接続できるＬＡＮ接続端子Ｐ１ａ、Ｐ１ｂとが備えられている。さらに、ターミナルアダプタ３には、電話機接続ラインＬ３を介して電話機４が接続されているとともに、ＡＤＳＬ、ＣＡＴＶ等の外部ネットワーク６を介してインターネット５が接続されている。
【００２３】
このように構成された本発明の第１の実施例によるテレビドアホンシステムにおいて、以下、具体的な動作について図１のシステム構成図を参照して説明する。
【００２４】
先ず、カードスロット（図示せず）にＰＨＳカード１０、１０を装着させたモニタ付親機２ａ、増設親機２ｂのＬＡＮ接続端子Ｐ１ａ、Ｐ１ｂにＬＡＮケーブルＬ２ａ、Ｌ２ｂを介してターミナルアダプタ３を有線接続した後、モニタ付親機２ａ、増設親機２ｂにてそれぞれ所定の設定操作（詳述せず）を行うことにより、ＰＨＳカード１０、１０をターミナルアダプタ３の通信子機、例えば、モニタ付親機２ａのカードスロット（図示せず）に装着させたＰＨＳカード１０を子機番号「１」の通信子機、増設親機２ｂのカードスロット（図示せず）に装着させたＰＨＳカード１０を子機番号「２」の通信子機のように登録することができる。
【００２５】
ここで、モニタ付親機２ａの使用者が増設親機２ｂの使用者を呼び出すために当該モニタ付親機の内線呼出機能を能動とする、例えば、内線呼出ボタン（図示せず）を操作すると、内線呼出成分を含む呼出信号（無線呼出信号）が生成される。この呼出信号は、モニタ付親機２ａのカードスロット（図示せず）に装着させたＰＨＳカード１０から発信され、ターミナルアダプタ３にて受信される。また、ターミナルアダプタ３は、モニタ付親機２ａからの呼出信号に当該モニタ付親機のカードスロット（図示せず）に装着させたＰＨＳカード１０の子機番号「１」を付加させた呼出信号を発信し、この呼出信号は、増設親機２ｂのカードスロット（図示せず）に装着させたＰＨＳカード１０にて受信される。また、増設親機２ｂは、ＰＨＳカード１０にて受信された呼出信号に含まれている子機番号「１」および内線呼出成分をもとにモニタ付親機２ａの使用者からの内線呼び出しを検出して呼出報知機能を能動とする、例えば、スピーカ（図示せず）から所定の呼出音を鳴動させる、若しくは所定の呼出音の鳴動と併せて内線呼出表示（モニタ表示やＬＥＤ表示）を行う。さらに、増設親機２ｂの使用者が呼出応答、例えば、通話ボタン（図示せず）を操作すると、この増設親機２ｂの通話機能、例えば、マイクおよびスピーカと、当該増設親機のカードスロット（図示せず）に装着させたＰＨＳカード１０、ターミナルアダプタ３、モニタ付親機２ａのカードスロット（図示せず）に装着させたＰＨＳカード１０、当該モニタ付親機の通話機能、例えば、マイクおよびスピーカとの間の通話路が形成され、形成された通話路を介して音声信号を送受信させることにより、モニタ付親機２ａの使用者と増設親機２ｂの使用者との間で無線による内線通話を行うことができる。
【００２６】
次に、モニタ付親機２ａの使用者および増設親機２ｂの使用者のうち、ここでは、モニタ付親機２ａの使用者がインターネット接続操作（詳述せず）を行うと、インターネット接続先のＵＲＬアドレスを含むネット接続信号が生成される。このネット接続信号は、モニタ付親機２ａのカードスロット（図示せず）に装着させたＰＨＳカード１０から発信される無線通信を使用してターミナルアダプタ３へと伝送される。また、ターミナルアダプタ３は、モニタ付親機２ａからのネット接続信号を中継若しくはプロトコル変換した後、ＡＤＳＬ、ＣＡＴＶ等の外部ネットワーク６を介してインターネット５へと転送することにより、インターネット５上のＵＲＬアドレスに該当したホームページへとアクセスすることができる。
【００２７】
次に、ターミナルアダプタ３は、電話機４への外線着信があった場合、電話機接続ラインＬ３を介して接続されている電話機４へ着信させて外線報知機能を能動とする、例えば、スピーカ（図示せず）から所定の呼出音を鳴動させる、若しくは所定の呼出音の鳴動と併せて外線呼出表示（モニタ表示やＬＥＤ表示）を行う。また、ターミナルアダプタ３は、上述の電話機４への着信制御と併せて無線通信であるモニタ付親機２ａおよび増設親機２ｂのカードスロット（図示せず）に装着させたＰＨＳカード１０、１０へと着信させることにより、モニタ付親機２ａ、増設親機２ｂでは外線報知機能が能動となる、例えば、スピーカ（図示せず）から所定の呼出音が鳴動される、若しくは所定の呼出音の鳴動と併せて外線呼出表示（モニタ表示やＬＥＤ表示）が行われる。
【００２８】
次に、居住者が住戸内を留守中において玄関先にて呼出操作を行った来訪者の画像、ここでは、呼出操作が行われたカメラ付玄関子機１ａにて撮像された画像の画像データ信号は、子機接続ラインＬ１ａを介してモニタ付親機２ａに伝送された後、当該モニタ付親機の録画機能に録画される。また、モニタ付親機２ａは、録画した画像データ信号を、カードスロット（図示せず）に装着させたＰＨＳカード１０から発信する無線通信を使用してターミナルアダプタ３へと伝送させる。また、ターミナルアダプタ３は、モニタ付親機２ａからの画像データ信号を中継若しくはプロトコル変換した後、ＡＤＳＬ、ＣＡＴＶ等の外部ネットワーク６を介してインターネット５上のサーバ（図示せず）へと転送することにより、留守中において玄関先にて呼出操作を行った来訪者の画像は、モニタ付親機２ａの録画機能のみならずサーバ（図示せず）に録画することができ、この録画画像は、外出中の居住者により通常所持されるブラウジング機能やメール送受信機能を有する携帯端末（図示せず）からのアップロード接続により当該携帯端末にて表示／参照可能となる。
【００２９】
なお、本発明の第１の実施例において、インターネット接続操作（詳述せず）が行われたモニタ付親機２ａにて生成されるネット接続信号をターミナルアダプタ３へと伝送させる通信手段、電話機４への外線着信を検出したターミナルアダプタ３によるモニタ付親機２ａおよび増設親機２ｂへの通信手段、モニタ付親機２ａに録画した画像データ信号をターミナルアダプタ３へと伝送させる通信手段は、何れの場合もモニタ付親機２ａのカードスロット（図示せず）に装着させたＰＨＳカード１０とターミナルアダプタ３との間の無線通信を使用したが、通信手段はこれに限定されず、モニタ付親機２ａおよび増設親機２ｂのＬＡＮ接続端子Ｐ１ａ、Ｐ１ｂとターミナルアダプタ３とをＬＡＮケーブルＬ２ａ、Ｌ２ｂを介してそれぞれ有線接続させた有線通信も使用でき、この有線通信を使用するにあたり、ＰＨＳカード１０（１０、１０）は、通常、モニタ付親機２ａおよび増設親機２ｂのカードスロット（図示せず）からそれぞれ取り外されている。
【００３０】
次に、本発明の第１の実施例と同様な効果を奏する図２のシステム構成図に示すテレビドアホンシステムを、以下、本発明の第２の実施例として説明する。
【００３１】
図２のシステム構成図において、住戸外とされる玄関先には、本発明の第１の実施例に適用されたカメラ付玄関子機１ａ、１ｂと同様な機能を有するカメラ付玄関子機５１ａ、５１ｂが設置されている。
【００３２】
図２のシステム構成図において、住戸内には、本発明の第１の実施例に適用されたモニタ付親機２ａ、増設親機２ｂと同様な機能を有するモニタ付親機５２ａおよび増設された１台の増設親機５２ｂと、無線ＬＡＮ対応のルータ５３と、居住者によるインターネット外線電話が可能なインターネット電話機５４とが設置されている。また、モニタ付親機５２ａ、増設親機５２ｂは、ぞれぞれ同様な構成で子機接続ラインＬ５１ａ、Ｌ５１ｂを介してカメラ付玄関子機５１ａ、５１ｂが接続されており、ルータ５３に登録される無線ＬＡＮカード６０、６０を脱着可能に装着するためのカードスロット（図示せず）と、ＬＡＮケーブルＬ５２ａ、Ｌ５２ｂを介してルータ５３を有線接続できるＬＡＮ接続端子Ｐ５１ａ、Ｐ５１ｂとが備えられている。さらに、ルータ５３には、インターネット電話機接続ラインＬ５３を介してインターネット電話機５４が接続されているとともに、ＡＤＳＬ、ＣＡＴＶ等の外部ネットワーク５６を介してインターネット５５が接続されている。
【００３３】
このように構成された本発明の第２の実施例によるテレビドアホンシステムにおいて、以下、具体的な動作について図２のシステム構成図を参照して説明する。
【００３４】
先ず、カードスロット（図示せず）に無線ＬＡＮカード６０、６０を装着させたモニタ付親機５２ａ、増設親機５２ｂのＬＡＮ接続端子Ｐ５１ａ、Ｐ５１ｂにＬＡＮケーブルＬ５２ａ、Ｌ５２ｂを介してルータ５３を有線接続した後、モニタ付親機５２ａ、増設親機５２ｂにてそれぞれ所定の設定操作（詳述せず）を行うことにより、無線ＬＡＮカード６０、６０をルータ５３の通信子機、例えば、モニタ付親機５２ａのカードスロット（図示せず）に装着させた無線ＬＡＮカード６０を子機番号「１」の通信子機、増設親機５２ｂのカードスロット（図示せず）に装着させた無線ＬＡＮカード６０を子機番号「２」の通信子機のように登録することができる。
【００３５】
ここで、モニタ付親機５２ａの使用者が増設親機５２ｂの使用者を呼び出すために当該モニタ付親機の内線呼出機能を能動とする、例えば、内線呼出ボタン（図示せず）を操作すると、内線呼出成分を含む呼出信号（無線呼出信号）が生成される。この呼出信号は、モニタ付親機５２ａのカードスロット（図示せず）に装着させた無線ＬＡＮカード６０から発信され、ルータ５３にて受信される。また、ルータ５３は、モニタ付親機５２ａからの呼出信号に当該モニタ付親機のカードスロット（図示せず）に装着させた無線ＬＡＮカード６０の子機番号「１」を付加させた呼出信号を発信し、この呼出信号は、増設親機２ｂのカードスロット（図示せず）に装着させた無線ＬＡＮカード６０にて受信される。また、増設親機５２ｂは、無線ＬＡＮカード６０にて受信された呼出信号に含まれている子機番号「１」および内線呼出成分をもとにモニタ付親機５２ａの使用者からの内線呼び出しを検出して呼出報知機能を能動とする、例えば、スピーカ（図示せず）から所定の呼出音を鳴動させる、若しくは所定の呼出音の鳴動と併せて内線呼出表示（モニタ表示やＬＥＤ表示）を行う。さらに、増設親機５２ｂの使用者が呼出応答、例えば、通話ボタン（図示せず）を操作すると、この増設親機５２ｂの通話機能、例えば、マイクおよびスピーカと、当該増設親機のカードスロット（図示せず）に装着させた無線ＬＡＮカード６０、ルータ５３、モニタ付親機５２ａのカードスロット（図示せず）に装着させた無線ＬＡＮカード６０、当該モニタ付親機の通話機能、例えば、マイクおよびスピーカとの間の通話路が形成され、形成された通話路を介して音声信号を送受信させることにより、モニタ付親機５２ａの使用者と増設親機５２ｂの使用者との間で無線による内線通話を行うことができる。
【００３６】
次に、モニタ付親機５２ａの使用者および増設親機５２ｂの使用者のうち、ここでは、モニタ付親機５２ａの使用者がインターネット接続操作（詳述せず）を行うと、インターネット接続先のＵＲＬアドレスを含むネット接続信号が生成される。このネット接続信号は、モニタ付親機５２ａのカードスロット（図示せず）に装着させた無線ＬＡＮカード６０から発信される無線通信を使用してルータ５３へと伝送される。また、ルータ５３は、モニタ付親機５２ａからのネット接続信号を中継若しくはプロトコル変換した後、ＡＤＳＬ、ＣＡＴＶ等の外部ネットワーク５６を介してインターネット５５へと転送することにより、インターネット５５上のＵＲＬアドレスに該当したホームページへとアクセスすることができる。
【００３７】
次に、ルータ５３は、インターネット５５、外部ネットワーク５６を介してインターネット電話機５４へのＩＰアドレスが付加された外線着信（外線インターネット着信）があった場合、インターネット電話機接続ラインＬ５３を介して接続されているインターネット電話機５４へ着信させて外線報知機能を能動とする、例えば、スピーカ（図示せず）から所定の呼出音を鳴動させる、若しくは所定の呼出音の鳴動と併せて外線呼出表示（モニタ表示やＬＥＤ表示）を行う。また、ルータ５３は、上述のインターネット電話機５４への着信制御と併せてモニタ付親機５２ａおよび増設親機５２ｂのうち少なくとも１台の親機、ここでは、無線通信であるモニタ付親機５２ａのカードスロット（図示せず）に装着させた無線ＬＡＮカード６０へと着信させることにより、モニタ付親機５２ａの外線報知機能が能動となる、例えば、スピーカ（図示せず）から所定の呼出音が鳴動される、若しくは所定の呼出音の鳴動と併せて外線呼出表示（モニタ表示やＬＥＤ表示）が行われる。
【００３８】
次に、居住者が住戸内を留守中において玄関先にて呼出操作を行った来訪者の画像、ここでは、呼出操作が行われたカメラ付玄関子機５１ａにて撮像された画像の画像データ信号は、子機接続ラインＬ５１ａを介してモニタ付親機５２ａに伝送された後、当該モニタ付親機の録画機能に録画される。また、モニタ付親機５２ａは、録画した画像データ信号を、カードスロット（図示せず）に装着させた無線ＬＡＮカード６０から発信する無線通信を使用してルータ５３へと伝送させる。また、ルータ５３は、モニタ付親機５２ａからの画像データ信号を中継若しくはプロトコル変換した後、ＡＤＳＬ、ＣＡＴＶ等の外部ネットワーク５６を介してインターネット５５上のサーバ（図示せず）へと転送することにより、留守中において玄関先にて呼出操作を行った来訪者の画像は、モニタ付親機５２ａの録画機能のみならずサーバ（図示せず）に録画することができ、この録画画像は、外出中の居住者により通常所持されるブラウジング機能やメール送受信機能を有する携帯端末（図示せず）からのアップロード接続により当該携帯端末にて表示／参照可能となる。
【００３９】
なお、本発明の第２の実施例において、インターネット接続操作（詳述せず）が行われたモニタ付親機５２ａにて生成されるネット接続信号をルータ５３へと伝送させる通信手段、インターネット電話機５４への外線着信を検出したルータ５３によるモニタ付親機５２ａおよび増設親機５２ｂのうち少なくとも１台の親機、ここでは、モニタ付親機５２ａへの通信手段、モニタ付親機５２ａに録画した画像データ信号をルータ５３へと伝送させる通信手段は、何れの場合もモニタ付親機５２ａのカードスロット（図示せず）に装着させた無線ＬＡＮカード６０とルータ５３との間の無線通信を使用したが、通信手段はこれに限定されず、モニタ付親機５２ａおよび増設親機５２ｂのＬＡＮ接続端子Ｐ５１ａ、Ｐ５１ｂとルータ５３とをＬＡＮケーブルＬ５２ａ、Ｌ５２ｂを介してそれぞれ有線接続させた有線通信も使用でき、この有線通信を使用するにあたり、無線ＬＡＮカード６０（６０、６０）は、通常、モニタ付親機５２ａおよび増設親機５２ｂのカードスロット（図示せず）からそれぞれ取り外されている。
【００４０】
また、本発明の第１、第２の各実施例では、住戸内に設置される親機を、カードスロット（図示せず）にＰＨＳカード１０、１０を着脱可能に装着するモニタ付親機２ａおよび１台の増設親機２ｂ、カードスロット（図示せず）に無線ＬＡＮカード６０、６０を着脱可能に装着するモニタ付親機５２ａおよび１台の増設親機５２ｂとして、ＰＨＳカード１０、１０を登録したターミナルアダプタ３、若しくは無線ＬＡＮカード６０、６０を登録したルータ５３を介した親機の無線による内線通話が可能となる実施例について説明したが、親機の設置数は上述の２台に限定されず、より複数台の増設親機を住戸内に設置した場合でも同様な効果を奏する。
【００４１】
【発明の効果】
以上の説明から明らかなように、本発明のテレビドアホンシステムによれば、住戸内に設置されるモニタ付親機および増設親機にＰＨＳカードを装着させ、このＰＨＳカードをＰＨＳデータ通信プロトコル対応のターミナルアダプタに登録することにより、ターミナルアダプタを介したモニタ付親機および増設親機の間で無線による内線通話が可能となり配線の簡素化が図れるばかりでなく、電話機への外線着信をターミナルアダプタを介してモニタ付親機および増設親機へと転送することができ、さらに、ＰＨＳカードからターミナルアダプタを介してインターネットへの接続を無線通信で行うことができる。
【００４２】
また、住戸内に設置されるモニタ付親機および増設親機に無線ＬＡＮカードを装着させ、この無線ＬＡＮカードを無線ＬＡＮ対応のルータに登録することにより、ルータを介したモニタ付親機および増設親機の間で無線による内線通話が可能となり配線の簡素化が図れるばかりでなく、インターネット電話機への外線着信（外線インターネット着信）をルータを介してモニタ付親機および増設親機のうち少なくとも１台の親機へと転送することができ、さらに、無線ＬＡＮカードからルータを介してインターネットへの接続を無線通信で行うことができる。
【図面の簡単な説明】
【図１】本発明の第１の実施例によるテレビドアホンシステムを示すシステム構成図である。
【図２】本発明の第２の実施例によるテレビドアホンシステムを示すシステム構成図である。
【符号の説明】
１ａ、１ｂ、５１ａ、５１ｂ・・・・・カメラ付玄関子機
２ａ、５２ａ・・・・・モニタ付親機
２ｂ、５２ｂ・・・・・増設親機
３・・・・・ターミナルアダプタ
４・・・・・電話機
５、５５・・・・・インターネット
１０・・・・・ＰＨＳカード
５３・・・・・ルータ
５４・・・・・インターネット電話機
６０・・・・・無線ＬＡＮカード
【図１】
2004153418.tif 000003
【図２】
2004153418.tif 000004